(57)【要約】【課題】原稿読取部及び画像形成部に対する作業を容易に行うことができる画像形成装置を提供する。【解決手段】原稿読取部及び画像形成部を収容する筺体１ａにおける上記原稿読取部及び画像形成部に対向する位置に開口部を形成し、当該開口部を開閉可能なカバー部材１０５を、上記原稿読取部及び画像形成部に跨って対向するように設ける。これにより、原稿読取部に設けられている部品と、画像形成部に設けられている部品とに対して、同時に作業を行いたい場合であっても、１つのカバー部材１０５を開くだけで、原稿読取部及び画像形成部に対する作業を容易に行うことができる。【選択図】  図２
2010103846.tif 000002
【特許請求の範囲】
【請求項１】
原稿の画像を読み取るための原稿読取部と、
上記原稿読取部で読み取られた原稿の画像データに基づいて記録紙に画像を形成する画像形成部と、
上記原稿読取部及び上記画像形成部を収容する筺体とを備え、
上記筺体には、上記原稿読取部及び上記画像形成部に対向する位置に開口部が形成されており、上記開口部を開閉可能なカバー部材が、上記原稿読取部及び上記画像形成部に跨って対向するように設けられていることを特徴とする画像形成装置。
【請求項２】
上記原稿読取部には、原稿の読取動作を制御する原稿読取制御基板が設けられ、
上記画像形成部には、記録紙に対する画像形成動作を制御する画像形成制御基板が設けられ、
上記カバー部材が、上記原稿読取制御基板及び上記画像形成制御基板に跨って対向するように設けられていることを特徴とする請求項１に記載の画像形成装置。
【請求項３】
上記原稿読取部に原稿を供給するための原稿供給装置を備え、
上記原稿供給装置には、上記原稿読取部により読み取られる原稿の面とは反対側の面の画像を読み取るための裏面読取部が設けられ、
上記原稿読取制御基板が、上記原稿読取部により読み取られる原稿の第１面の画像データに対して画像処理を行い、
上記画像形成制御基板が、上記裏面読取部により読み取られる原稿の第２面の画像データに対して画像処理を行うことを特徴とする請求項２に記載の画像形成装置。
【請求項４】
上記開口部の近傍には、アース線を接続するためのアース線接続部が設けられていることを特徴とする請求項１〜３のいずれかに記載の画像形成装置。
【発明の詳細な説明】
【技術分野】
【０００１】
本発明は、原稿読取部及び画像形成部を筺体内に収容した画像形成装置に関するものである。
【背景技術】
【０００２】
原稿読取部及び画像形成部を筺体内に収容した画像形成装置の中には、上記筺体の側面における原稿読取部及び画像形成部に対向する位置に、それぞれメンテナンス用の開口部（第１開口部及び第２開口部）が形成されているものがある。この種の画像形成装置では、例えば、原稿読取部に対向する第１開口部及び画像形成部に対向する第２開口部に、それぞれ開閉可能なカバー部材が取り付けられている。
【０００３】
上記のような構成を有する画像形成装置においては、第１開口部に取り付けられているカバー部材を開くことにより、原稿読取部に備えられている部品に対する作業を行うことができ、第２開口部に取り付けられているカバー部材を開くことにより、画像形成部に備えられている部品に対する作業を行うことができる。
【０００４】
画像形成装置の筺体側面に開閉可能なカバー部材を設ける構成については、例えば下記特許文献１及び２などに開示されている。
【０００５】
【特許文献１】特開２００７−３０４３３０号公報
【特許文献２】特開２００８−１３５８７７号公報
【発明の開示】
【発明が解決しようとする課題】
【０００６】
しかしながら、上記のような従来技術では、原稿読取部に設けられている部品と、画像形成部に設けられている部品とに対して、同時に作業を行いたい場合に、第１開口部及び第２開口部にそれぞれ取り付けられているカバー部材を開く作業を行わなければならず、煩雑である。
【０００７】
本発明は上記実情に鑑みてなされたものであり、原稿読取部及び画像形成部に対する作業を容易に行うことができる画像形成装置を提供することを目的とする。
【課題を解決するための手段】
【０００８】
第１の本発明に係る画像形成装置は、原稿の画像を読み取るための原稿読取部と、上記原稿読取部で読み取られた原稿の画像データに基づいて記録紙に画像を形成する画像形成部と、上記原稿読取部及び上記画像形成部を収容する筺体とを備え、上記筺体には、上記原稿読取部及び上記画像形成部に対向する位置に開口部が形成されており、上記開口部を開閉可能なカバー部材が、上記原稿読取部及び上記画像形成部に跨って対向するように設けられていることを特徴とする。
【０００９】
このような構成によれば、原稿読取部及び画像形成部に跨って対向するように設けられたカバー部材を開くことにより、開口部を介して、原稿読取部及び画像形成部に対する作業を行うことができる。すなわち、原稿読取部に設けられている部品と、画像形成部に設けられている部品とに対して、同時に作業を行いたい場合であっても、１つのカバー部材を開くだけで、原稿読取部及び画像形成部に対する作業を容易に行うことができる。
【００１０】
第２の本発明に係る画像形成装置は、上記原稿読取部には、原稿の読取動作を制御する原稿読取制御基板が設けられ、上記画像形成部には、記録紙に対する画像形成動作を制御する画像形成制御基板が設けられ、上記カバー部材が、上記原稿読取制御基板及び上記画像形成制御基板に跨って対向するように設けられていることを特徴とする。
【００１１】
このような構成によれば、原稿読取部に設けられている原稿読取制御基板と、画像形成部に設けられている画像形成制御基板とに対して、同時に作業を行いたい場合であっても、１つのカバー部材を開くだけで容易に作業を行うことができる。
【００１２】
第３の本発明に係る画像形成装置は、上記原稿読取部に原稿を供給するための原稿供給装置を備え、上記原稿供給装置には、上記原稿読取部により読み取られる原稿の面とは反対側の面の画像を読み取るための裏面読取部が設けられ、上記原稿読取制御基板が、上記原稿読取部により読み取られる原稿の第１面の画像データに対して画像処理を行い、上記画像形成制御基板が、上記裏面読取部により読み取られる原稿の第２面の画像データに対して画像処理を行うことを特徴とする。
【００１３】
このような構成によれば、原稿読取部により読み取られる原稿の第１面の画像データに対して、原稿読取制御基板により画像処理を行い、裏面読取部により読み取られる原稿の第２面の画像データに対して、画像形成制御基板により画像処理を行うことができるので、より効率よく画像を処理することができる。また、１つのカバー部材を開くだけで、原稿の第１面の画像データを原稿読取制御基板に入力するための接続部と、原稿の第２面の画像データを画像形成制御基板に入力するための接続部とに対して、配線の着脱作業を同時に行うことができるので、作業が容易である。原稿の第１面の画像データを原稿読取制御基板に直接入力し、原稿の第２面の画像データを画像形成制御基板に直接入力すれば、画像データに生じるノイズを抑制することができる。
【００１４】
第４の本発明に係る画像形成装置は、上記開口部の近傍には、アース線を接続するためのアース線接続部が設けられていることを特徴とする。
【００１５】
このような構成によれば、１つのカバー部材を開くだけで、開口部を介してアース線接続部にアース線を着脱する作業も行うことができるので、作業をさらに容易に行うことができる。
【発明の効果】
【００１６】
本発明によれば、原稿読取部及び画像形成部に跨って対向するように設けられた１つのカバー部材を開くだけで、開口部を介して、原稿読取部及び画像形成部に対する作業を容易に行うことができる。
【発明を実施するための最良の形態】
【００１７】
図１は、本発明の一実施形態に係る画像形成装置１の内部構成を示した概略断面図である。この画像形成装置１は、原稿供給装置（ＡＤＦ）２、原稿読取部３、画像形成部４及び給紙部５を備えた複写機である。
【００１８】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。ＡＤＦ２により送り出された原稿は、複数の搬送ローラ２ｄ、２ｅ、２ｆにより搬送路２ｇを搬送され、当該搬送路２ｇの途中で片面又は両面の画像が読み取られた後、排出ローラ２ｈにより原稿排出トレイ２ｉ上に順次排出される。
【００１９】
原稿読取部３は、原稿の画像を読み取るための第１スキャナ３ａを備えている。ＡＤＦ２により原稿読取部３に供給される原稿を読み取る際には、第１スキャナ３ａが静止読取領域３ｂにおいて静止した状態で、搬送路２ｇの途中に位置する読取ポイントＡにおいて原稿の第１面（表面）の画像を読み取る。この画像形成装置１では、原稿読取部３の上方に設けられたガラス板３ｄ上に原稿を載置することにより、第１スキャナ３ａを移動読取領域３ｃで移動させながら原稿の第１面の画像を読み取ることもできる。なお、原稿の第１面とは、原稿トレイ２ａ上で上側の面、又は、ガラス板３ｄ上で下側の面をいう。
【００２０】
ＡＤＦ２には、搬送路２ｇの途中に設けられた第２スキャナ２ｋが備えられており、両面読取を行う場合には、読取ポイントＢにおいて、当該第２スキャナ２ｋにより原稿の原稿トレイ２ａ上で下側の面である第２面（裏面）の画像が読み取られる。すなわち、第２スキャナ２ｋは、原稿読取部３の第１スキャナ３ａにより読み取られる原稿の面（第１面）とは反対側の面（第２面）の画像を読み取るための裏面読取部を構成している。
【００２１】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、第１スキャナ３ａ又は第２スキャナ２ｋで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２２】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２３】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。この状態で給紙ローラ２１が回転駆動されることにより、記録紙カセット６内に収容されている記録紙Ｐが、給紙ローラ２１と分離パッド（図示せず）によりそれぞれ分離されて搬送路１２に１枚ずつ送り出される。
【００２４】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、レジストローラ１４により記録紙Ｐは感光体ドラム４ａの直前で一旦停止され、感光体ドラム４ａに形成されるトナー像を転写させるタイミングに合わせて送り出される。
【００２５】
上記のような原稿読取部３、画像形成部４及び給紙部５は、筺体１ａ内に収容されており、当該筺体１ａの上面に上記ガラス板３ｄが形成されている。ＡＤＦ２は、筺体１ａの上面に対して上下に開閉可能に取り付けられている。したがって、ガラス板３ｄ上に置かれた原稿を第１スキャナ３ａで読み取る場合には、ＡＤＦ２を閉じることにより、当該ＡＤＦ２とガラス板３ｄとの間に原稿を挟むことができるようになっている。
【００２６】
図２は、筺体１ａの背面側の構成を示した背面図である。図３は、筺体１ａの背面における要部拡大図である。なお、図３では、後述するカバー部材１０５を省略して示している。本実施形態では、画像形成装置１に対して当該画像形成装置１を操作するユーザ側を前面側、ユーザとは反対側を背面側として説明する。
【００２７】
筺体１ａは、原稿読取部３と画像形成部４の前方及び左右両側方を樹脂製カバーで覆うとともに、原稿読取部３の後方を樹脂製カバーで覆っている。筺体１ａの背面における画像形成部４に対向する領域は開放されており、当該領域には背面金属板１０２が取り付けられている。これにより、筺体１ａの背面は、原稿読取部３に対向する背面樹脂板１０１と、画像形成部４に対向する背面金属板１０２とにより構成されている。
【００２８】
図３に示すように、背面樹脂板１０１における背面金属板１０２との境界近傍には、第１開口部１０３が形成されている。また、背面金属板１０２には、上記第１開口部１０３に隣接する位置に第２開口部１０４が形成されている。これらの第１開口部１０３及び第２開口部１０４は、互いに連通して１つの開口部を構成するように形成されていてもよいし、それぞれ分離した開口部として形成されていてもよい。
【００２９】
背面樹脂板１０１の第１開口部１０３は、原稿読取部３の後方に対向する位置に形成されており、当該第１開口部１０３には、原稿読取部３に備えられた原稿読取制御基板３００が対向している。原稿読取制御基板３００は、原稿読取部３における各部品の配置スペースの関係から水平方向に延びるように配置され、その上面にはコネクタ３０１などの電気部品が実装されている。当該原稿読取制御基板３００は、原稿の読取動作を制御するためのものであり、例えば第１スキャナ３ａの動作などを制御する。
【００３０】
背面金属板１０２の第２開口部１０４は、画像形成部４の後方に対向する位置に形成されており、当該第２開口部１０４には、画像形成部４に備えられた画像形成制御基板４００が対向している。第１開口部１０３と第２開口部１０４との境界部には、中板１１１が水平方向に延びるようにねじ等で原稿読取部３内に固定されており、当該中板１１１上に原稿読取制御基板３００が配置されている。画像形成制御基板４００は、画像形成部４における各部品の配置スペースの関係から鉛直方向に延びるように配置され、その第２開口部１０４側の面にはコネクタ４０１などの電気部品が実装されている。当該画像形成制御基板４００は、画像形成装置１の全体の制御を司るメイン基板であり、記録紙Ｐに対する画像形成動作を制御する他、給紙部５などの他の各部の動作を制御する。
【００３１】
筺体１ａの背面には、第１開口部１０３及び第２開口部１０４を覆うようにカバー部材１０５が取り付けられる。当該カバー部材１０５は、筺体１ａの背面に対して着脱されることにより第１開口部１０３及び第２開口部１０４を開閉可能であり、取り付けられた状態では、原稿読取部３及び画像形成部４に跨って対向するように設けられる。より具体的には、筺体１ａの背面に取り付けられたカバー部材１０５は、原稿読取制御基板３００及び画像形成制御基板４００に跨って対向し、これらの制御基板３００，４００に実装されている各種電気部品などに外部から容易に触れられるのを防止することができる。
【００３２】
図２に示すように、カバー部材１０５には、複数の爪部１０６と、固定具の一例であるねじ（図示せず）を挿通するための複数の挿通孔１０７とが形成されている。また、図３に示すように、背面樹脂板１０１には、上記複数の爪部１０６に対応する位置に係止孔１０８が形成され、背面金属板１０２には、上記複数の挿通孔１０７に対応する位置にねじ孔１０９が形成されている。このような構成により、カバー部材１０５は、その各爪部１０６を係止孔１０８に挿入して係止するとともに、各挿通孔１０７に挿通したねじをねじ孔１０９に固定することにより、筺体１ａの背面に対して強固に取り付けることができる。
【００３３】
ただし、爪部１０６及びこれに対応する係止孔１０８、又は、挿通孔１０７及びこれに対応するねじ孔１０９は、複数対形成されるような構成に限らず、１対のみ形成されるような構成であってもよい。
【００３４】
第１開口部１０３又は第２開口部１０４の近傍、より好ましくは開口周縁部には、アース線（図示せず）を接続するためのアース線接続部１１０が形成されている。このアース線接続部１１０は、例えば背面金属板１０２の一部により形成され、カバー部材１０５が筺体１ａの背面に取り付けられた状態で、当該カバー部材１０５に対向する位置に形成されている。したがって、カバー部材１０５が取り付けられた状態では、アース線接続部１１０及び当該アース線接続部１１０に接続されたアース線などに外部から容易に触れられるのを防止することができる。この例では、中板１１１の一部を第１開口部１０３内に突出させることによりアース線接続部１１０が形成されているが、このような構成に限らず、中板１１１の一部を第２開口部１０４内に突出させることによりアース線接続部１１０を形成するような構成であってもよいし、背面金属板１０２によりアース線接続部１１０を形成するような構成であってもよい。
【００３５】
図４は、図１の画像形成装置１の電気的構成を示したブロック図である。本実施形態では、原稿読取部３の第１スキャナ３ａにより読み取られた原稿の第１面の画像データは、原稿読取制御基板３００に入力され、この原稿読取制御基板３００により当該画像データに対する画像処理が行われるようになっている。また、ＡＤＦ２の第２スキャナ２ｋにより読み取られた原稿の第２面の画像データは、画像形成制御基板４００に入力され、この画像形成制御基板４００により当該画像データに対する画像処理が行われるようになっている。
【００３６】
上記画像処理としては、例えば画像データのデジタルデータへの変換などを例示することができる。原稿読取制御基板３００により画像処理が行われた原稿の第１面の画像データは、画像形成制御基板４００へと送られ、当該画像形成制御基板４００が画像形成部４の動作を制御することにより、上記第１面の画像データに基づく画像が記録紙Ｐに形成される。ＡＤＦ２を用いた両面読取の場合には、画像形成制御基板４００により画像処理が行われた原稿の第２面の画像データに基づいて、当該画像形成制御基板４００が画像形成部４の動作を制御することにより、当該第２面の画像データに基づく画像が記録紙Ｐに形成される。
【００３７】
本実施形態では、原稿読取部３及び画像形成部４に跨って対向するように設けられたカバー部材１０５を開くことにより、開口部１０３，１０４を介して、原稿読取部３及び画像形成部４に対する作業を行うことができる。すなわち、原稿読取部３に設けられている部品と、画像形成部４に設けられている部品とに対して、同時に作業を行いたい場合であっても、１つのカバー部材１０５を開くだけで、原稿読取部３及び画像形成部４に対する作業を容易に行うことができる。
【００３８】
特に、本実施形態では、原稿読取部３に設けられている原稿読取制御基板３００と、画像形成部４に設けられている画像形成制御基板４００とに対して、同時に作業を行いたい場合であっても、１つのカバー部材１０５を開くだけで容易に作業を行うことができる。
【００３９】
また、本実施形態では、原稿読取部３の第１スキャナ３ａにより読み取られる原稿の第１面の画像データに対して、原稿読取制御基板３００により画像処理を行い、第２スキャナ（裏面読取部）２ｋにより読み取られる原稿の第２面の画像データに対して、画像形成制御基板４００により画像処理を行うことができるので、より効率よく画像を処理することができる。
【００４０】
本実施形態では、第１スキャナ３ａ及び原稿読取制御基板３００は、原稿読取制御基板３００に設けられたコネクタ３０１を介して互いに電気接続される。また、第２スキャナ２ｋ及び画像形成制御基板４００は、画像形成制御基板４００に設けられたコネクタ４０１を介して互いに電気接続される。したがって、１つのカバー部材１０５を開くだけで、原稿の第１面の画像データを原稿読取制御基板３００に入力するためのコネクタ（接続部）３０１と、原稿の第２面の画像データを画像形成制御基板４００に入力するためのコネクタ（接続部）４０１とに対して、配線の着脱作業を同時に行うことができる。さらに、本実施形態では、アース線接続部１１０に対するアース線の着脱作業も同時に行うことができる。また、原稿の第１面の画像データを原稿読取制御基板３００に直接入力し、原稿の第２面の画像データを画像形成制御基板４００に直接入力することにより、画像データに生じるノイズを抑制することができる。
【００４１】
以上の実施形態では、筺体１ａの背面が背面樹脂板１０１及び背面金属板１０２により形成されるような構成について説明したが、このような構成に限らず、例えば樹脂製又は金属製の１枚の背面板により形成されるような構成であってもよい。この場合、当該背面板における原稿読取部３及び画像形成部４に対向する位置に開口部が形成されていてもよい。
【００４２】
また、原稿読取部３及び画像形成部４に対向する開口部は、筺体１ａの背面に限らず、左側面又は右側面に形成されていてもよいし、前面に形成されていてもよい。ただし、通常、画像形成装置１は、その背面が壁面などに対向するように設置されるため、当該背面に開口部を設ければ、ユーザが開口部を介して原稿読取部３及び画像形成部４の各種電気部品に不用意に触れるのを効果的に防止することができる。
【図面の簡単な説明】
【００４３】
【図１】本発明の一実施形態に係る画像形成装置の内部構成を示した概略断面図である。
【図２】筺体の背面側の構成を示した背面図である。
【図３】筺体の背面における要部拡大図である。
【図４】図１の画像形成装置の電気的構成を示したブロック図である。
【符号の説明】
【００４４】
１    画像形成装置
１ａ  筺体
２    ＡＤＦ
３    原稿読取部
３ａ  スキャナ
４    画像形成部
１０１    背面樹脂板
１０２    背面金属板
１０３    第１開口部
１０４    第２開口部
１０５    カバー部材
１１０    アース線接続部
３００    原稿読取制御基板
４００    画像形成制御基板
【図１】
2010103846.tif 000003
【図２】
2010103846.tif 000004
【図３】
2010103846.tif 000005
【図４】
2010103846.tif 000006